(57)【要約】【課題】車両の天井内装面に車載用モニタ装置を取付ける際の取付け作業の能率が飛躍的に向上する新規な車載用モニタ装置取付構造を提供する。【解決手段】天井内装面２に車載用モニタ装置１を取付ける際、ハンガーブラケット４のフック部４ａ、４ｂを開口１２を介して天井フレーム３の引っ掛け部５に引っ掛け、車載用モニタ装置１を天井フレーム３に回動自在に吊り下げて作業中の車載用モニタ装置１の支持を省く。そして、天井フレーム３に吊り下げた車載用モニタ装置１の装置側配線コネクタ１８を開口１２を通して車両側配線コネクタ２０に接続した後、車載用モニタ装置１を回動して車載用モニタ装置１のクリップ２１が嵌入口２２に嵌入し、車載用モニタ装１を仮止めする。さらに、仮止め状態の車載用モニタ装置１を締着部材により天井フレーム３に締着して車載用モニタ装置１を天井内装面２に取付ける。【選択図】図１
2010089595.tif 000002
【特許請求の範囲】
【請求項１】
車両の天井内装面に取付用の開口を形成し、車載用モニタ装置の装置側配線コネクタを前記開口を通して前記天井内装面の上方の電気配線の車両側配線コネクタに接続し、前記天井内装面の上方に配設した支持用の天井フレームに前記開口を覆うように車載用モニタ装置を取付けてなる車載用モニタ装置取付構造であって、
前記車載用モニタ装置の取付面の一端部に突出して設けられ、前記車載用モニタ装置の取付作業時に先端のフック部が前記天井フレームの引っ掛け部に回動自在に引っ掛けられるハンガーブラケットと、
前記車載用モニタ装置の前記取付面の前記一端部と反対側の他端部に設けられた装置側嵌合部と、
前記天井フレームに設けられ、前記フック部が前記引っ掛け部に引っ掛けられた状態で前記車載用モニタ装置が回動することにより前記開口を介して前記装置側嵌合部と嵌合し、前記車載用モニタ装置を前記天井フレームに係止する車両側嵌合部と、
前記装置側嵌合部と前記車両側嵌合部とが嵌合して前記天井フレームに係止された前記車載用モニタ装置を前記天井フレームに締着する締着部材とを備えたことを特徴とする車載用モニタ装置取付構造。
【発明の詳細な説明】
【技術分野】
【０００１】
この発明は、車両の天井内装面に車載用モニタ装置を取付ける車載用モニタ装置取付構造に関し、詳しくは、取付作業性の向上に関する。
【背景技術】
【０００２】
従来、車両にはテレビ放送の受信画像やＤＶＤ等の再生画像を表示する車載用モニタ装置を車室の天井内装面に取付けたものがある。図７はその一例の車載用モニタ装置１００が車両の天井内装面（車室天井面）２００に下向きに取付けられた状態を示す。
【０００３】
車載用モニタ装置１００は、基体部を形成するパネル部１０１と、このパネル１０１に取付けられる表示部１０２とを備える。そして、パネル部１０１は天井内装面２００に形成された取付用の開口（図示せず）にはめ込まれるとともに内蔵の取付金具が天井内装面２００の上方のフレーム（図示せず）に締着されて下向きに取付けられる。また、パネル部１０１から引き出された配線コネクタ（図示せず）が前記開口を介して天井内装面２００の上方に配設された電気配線の配線コネクタ（図示せず）に接続される。さらに、表示部１０２は液晶ディスプレイユニット等の薄型ディスプレイユニットであり、金具１０３によりパネル部１０１に取付けられ、車両後方を向いた表示画面１０２ａに前記の受信画像や再生画像を表示する（例えば、特許文献１参照）。なお、この種の車載用モニタ装置にあっては、表示部が基体部に起倒自在に取付けられ、不使用時には表示部が基体部に重なるように倒され、使用時に表示部が垂直な状態に引き起こされる構成のものもあるが、天井内装面への取付構造はほぼ図７と同じである。
【特許文献１】特開２００５−３１３８２５号公報（例えば、段落［００１６］−［００４８］、図１３等）
【発明の開示】
【発明が解決しようとする課題】
【０００４】
車載用モニタ装置１００の取付けに際して、作業者は、車載用モニタ装置１００を片手（一方の手）で支持しながら、もう一方の手で配線コネクタの接続やパネル部１０１の天井内装面への取付け作業をする必要があるが、車載用モニタ装置１００は重量物であり、これらの作業は実際には容易ではない。そのため、従来はこの種の車載用モニタ装置の取付けが能率よく行えない問題がある。
【０００５】
本発明は、車両の天井内装面に車載用モニタ装置を取付ける際の取付け作業の能率が飛躍的に向上する新規な車載用モニタ装置取付構造を提供することを目的とする。
【課題を解決するための手段】
【０００６】
上記した目的を達成するために、本発明の車載用モニタ装置取付構造は、車両の天井内装面に取付用の開口を形成し、車載用モニタ装置の装置側配線コネクタを前記開口を通して前記天井内装面の上方の電気配線の車両側配線コネクタに接続し、前記天井内装面の上方に配設した支持用の天井フレームに前記開口を覆うように車載用モニタ装置を取付けてなる車載用モニタ装置取付構造であって、前記車載用モニタ装置の取付面の一端部に突出して設けられ、前記車載用モニタ装置の取付作業時に先端のフック部が前記天井フレームの引っ掛け部に回動自在に引っ掛けられるハンガーブラケットと、前記車載用モニタ装置の前記取付面の前記一端部と反対側の他端部に設けられた装置側嵌合部と、前記天井フレームに設けられ、前記フック部が前記引っ掛け部に引っ掛けられた状態で前記車載用モニタ装置が回動することにより前記開口を介して前記装置側嵌合部と嵌合し、前記車載用モニタ装置を前記天井フレームに係止する車両側嵌合部と、前記装置側嵌合部と前記車両側嵌合部とが嵌合して前記天井フレームに係止された前記車載用モニタ装置を前記天井フレームに締着する締着部材とを備えたことを特徴としている（請求項１）。
【発明の効果】
【０００７】
請求項１の本発明の車載用モニタ装置取付構造の場合、車両の天井内装面に車載用モニタ装置を取付ける際、作業者は、最初にハンガーブラケットのフック部を車両の天井内装面の取付用の開口を介して天井フレームの引っ掛け部に引っ掛け、車載用モニタ装置を天井フレームに回動自在に吊り下げる。このようにすることで車載用モニタ装置を支持する必要がなくなり、作業者は両手が自由に使えるようになる。
【０００８】
そして、作業者は天井フレームに吊り下げられた車載用モニタ装置の装置側配線コネクタを開口を通して天井内装面の上方の電気配線の車両側配線コネクタに接続した後、天井フレームに吊り下げられた車載用モニタ装置を、その取付面が天井内装面に対面するように回動する。このとき、車載用モニタ装置の装置側嵌合部と車両側嵌合部とが嵌合して車載用モニタ装置が天井フレームに係止され、車載用モニタ装置が前記開口を覆う天井フレームの規定の位置に位置決め作業等を行うことなく簡単に仮止めされる。そして、仮止め状態の車載用モニタ装置を締着部材により天井フレームに締着することで車載用モニタ装置の取付け作業が終了する。
【０００９】
したがって、作業者は重量のある車載用モニタ装置を支持する必要がなくなり、作業中に両手を自由に使うことができる。しかも、天井フレームに吊り下げられた車載用モニタ装置を回動して天井フレームに仮止めし、その後、仮止め状態の車載用モニタ装置を締着部材により天井フレームに締着する簡単な作業で車載用モニタ装置が車両の天井内装面に取付けることができる。そのため、車載用モニタ装置の取付け作業の能率が飛躍的に向上する。
【発明を実施するための最良の形態】
【００１０】
つぎに、本発明の一実施形態について、図１〜図６を参照して詳述する。
【００１１】
図１は車両の天井内装面２に吊り下げられた車載用モニタ装置１を背面側（車両前部側）から見た斜視図、図２は車載用モニタ装置１が支持用の天井フレーム３に取付けられた状態の天井内装面２を除去した斜視図、図３（ａ）は車載用モニタ装置１のハンガーブラケット４の斜視図、同図（ｂ）はハンガーブラケット４の左、右のフック部４ａ、４ｂが回動自在に係止される天井内装面２の上方の引っ掛け部５の斜視図である。図４は車載用モニタ装置１が天井内装面２に取付けられた状態の断面図、図５は天井内装面２に吊り下げられた車載用モニタ装置１の回動の説明図である。図６は図４の一部の拡大した断面図である。
【００１２】
車載用モニタ装置１は後部座席（いわゆる２列目、３列目の座席）の乗員に画像を表示する目的で車両に搭載される。そして、図１、図２に示すように、車載用モニタ装置１は扁平な矩形筐体状の基体部６と、基体部６の車両前方側の下面に周知のヒンジ機構を介して起倒自在に取付けられた表示部７を備える。
【００１３】
基体部６は合成樹脂の外装ケースに少なくともＤＶＤ、ＣＤＶ、ＣＤ等のディスク８の再生ユニット等を内蔵して形成され、ディスク８の水平なローディング開口９が車両後方側の端面に形成され、ローディング開口９の下部に再生や表示に関連する複数個の操作釦１０が横一列に設けられている。なお、基体部６の上面の周部にはパッキングとしての弾性体（例えばゴム）のスカート１１が装着されている。
【００１４】
表示部７は液晶ディスプレイユニット等の薄型ディスプレイユニットにより形成され、不使用時には乗員の邪魔にならないようにするため、表示面７ａが基体部６に向かい合うように倒されて基体部６に重なった水平な状態に保持され、使用時には垂直状態に引き起こされる。垂直状態に引き起こされた表示部７は表示面７ａが車両後方を向く。
【００１５】
つぎに、表示面７ａの映像を後部座席の乗員が容易に見ることができるようにするため、車載用モニタ装置１は車室内の天井面である天井内装面２のほぼ中央に取付けられる。
【００１６】
そのため、図１に示したように天井内装面２のほぼ中央に車載用モニタ装置１の取付け用の開口１２が形成される。
【００１７】
また、車載用モニタ装置１は基体部６の取付面（上面）６ａの一端部（この実施形態の場合は車両前方側端部）に、図３（ａ）に示すように斜め上方に突出した板状のハンガーブラケット４が取付けられる。このハンガーブラケット４は先端に左、右に分岐した下向きのフック部４ａ、４ｂが設けられる。
【００１８】
さらに、天井内装面２の上方に車載用モニタ装置１を支持する天井フレーム３が設けられる。天井フレーム３は開口１２の左、右に開口１２を跨ぐように配設された一対の支持片１３と開口１２の車両後方縁の後部片１４とによりコ字枠状に形成されている。後部片１４は開口１２に沿った立設板部１４ａと、立設板部１４ａの左、右下端のＬ字状に折曲した水平な折曲部１４ｂとからなり、立設板部１４ａは中央部分が凹状に切り欠かれ、左、右の折曲部１４ｂは左、右の支持片１３の端部に接続されている。そして、後部片１４が、図２、図３（ｂ）の引っ掛け部５を形成する。天井フレーム３は、図４に示すように、車両のルーフパネル（ボディーパネル）１５の裏面側の溶接パッド部材１６に係止されたリンホース部材１７にビス等で複数個所が締着されて固定されている。
【００１９】
そして、車載用モニタ装置１の天井内装面２への取付け作業時、作業者は車載用モニタ装置１を、後ろ側を上向きにした略垂直な状態で持ち上げ、ハンガーブラケット４を開口１２から斜め上方に突き上げ、図５に示すようにフック部４ａ、４ｂを引っ掛け部５に回動自在に引っ掛け、基体部６の取付面６ａを車両の前側に向けた状態で車載用モニタ装置１を天井内装面２に吊り下げる。このようにすることで、作業者は以降の作業中に両手が自由に使える。
【００２０】
基体部６の取付面６ａには図２に示すように装置側配線コネクタ（メス側コネクタ）１８が設けられる。そして、作業者は図１に示したように天井内装面２の上方の電気配線１９の車両側配線コネクタ（オス側コネクタ）２０を開口１２から引き出し、装置側配線コネクタ１８を車両側配線コネクタ２０に接続する。このとき、装置側配線コネクタ１８が水平状態で車両後方に開口するように取付けられているため、取付け時には装置側配線コネクタ１８が上向き開口し、開口１２から引き出されて垂れ下がった車両側配線コネクタ２０を装置側配線コネクタ１８に容易に挿入して接続できる。
【００２１】
つぎに、図１、図４に示すように、取付面６ａの一端部と反対側の他端部（車両前側部）の左、右に本発明の車両側嵌合部としての樹脂製弾性突起のクリップ２１が設けられ、天井フレーム３の左、右の支持片１３のクリップ２１に対応する開口１２内の位置に本発明の装置側嵌合部としての嵌入口２２が形成される。
【００２２】
そして、車両側配線コネクタ２０を装置側配線コネクタ１８に接続した後、図５に示すようにフック部４ａ、４ｂが引っ掛け部５に引っ掛けられた状態で、作業者が引っ掛け部５に引っ掛けられたフック部４ａ、４ｂを支点にして車載用モニタ装置１を車両前側に回動すると、クリップ２１の弾性によりの嵌入口２２に嵌入し、車両側嵌合部と装置側嵌合部とが開口１２を介して嵌合して車載用モニタ装置１が天井内装面２に仮止めされる。このとき、ハンガーブラケット４の部分は図６に示す状態になる。
【００２３】
つぎに、図２、図４に示すように左、右の支持片１３それぞれの開口１２内の前、後２個所に内面にネジ溝を形成したボス状の係止部２３が下向きに形成される。そして、車載用モニタ装置１が天井内装面２に仮止めされると、図４に示したように係止部２３の端面が車載用モニタ装置１の左、右それぞれのネジ孔２４に重合し、作業者は各ネジ孔２４を介して係止部２３に下からタップネジ２５をねじ込む。このとき、係止部２３、ネジ孔２４、タップネジ２５が本発明の締着部材を形成し、この締着部材によって車載用モニタ装置１が天井フレーム３に締着されて車載用モニタ装置１を天井内装面２に取付ける作業が終了する。
【００２４】
したがって、本実施形態の場合、車載用モニタ装置１の取付けに際して、作業者は、車載用モニタ装置１のハンガーブラケット４のフック部４ａ、４ｂを天井フレーム３の引っ掛け部５に引っ掛け、車載用モニタ装置１を天井内装面２に吊るすことにより、車載用モニタ装置１を片手で支えることなく、コネクタ１８、２０の接続等を両手を使って容易に行うことができる。このとき、引っ掛け部５の凹部の切り欠きの左右方向の位置、大きさによって、フック部４ａ、４ｂの係止位置および係止状態が定まり、フック部４ａ、４ｂの係止位置の位置決め作業等は不要である。さらに、天井内装面２に吊るされた車載用モニタ装置１をフック部４ａ、４ｂを支点にして車両前側に回動することにより、クリップ２１が嵌合口２２に嵌入して極めて簡単に車載用モニタ装置１を天井内装面２に水平な状態に仮止めすることがでる。このとき、天井フレーム４の係止部２３と車載用モニタ装置１のネジ孔２４とが一致する。そして、作業者が両手を使ってタップネジ２５をネジ孔にねじ込むことにより、車載用モニタ装置１を容易に天井フレーム３に締着して天井内装面２に取付けることができる。
【００２５】
そのため、重量物である車載用モニタ装置１の天井内装面２への取付け作業が従来より極めて容易になり、極めて能率よく車載用モニタ装置１を天井内装面２に取付けることができる。
【００２６】
そして、本発明は上記した実施形態に限定されるものではなく、その趣旨を逸脱しない限りにおいて上述したもの以外に種々の変更を行うことが可能であり、例えば車載用モニタ装置１は、基体部６にディスク８の再生ユニット等を内蔵しない、いわゆるモニタテレビの構成であってもよい。
【００２７】
つぎに、ハンガーブラケット４および引っ掛け部５の形状や構造はどのようであってもよく、例えばハンガーブラケット４は、先端が２個のフック部４ａ、４ｂに分枝した形状でなくてもよく、基体部６の車両前方側に取付けられていてもよい。また、天井フレーム３の形状や構造もどのようであってもよい。
【００２８】
さらに、表示部７は基体部６の車両後方側に取付けられていてもよい。
【００２９】
つぎに、クリップ２１を本発明の装置側嵌合部とし、嵌入口２２を本発明の車両側嵌合部として、車載用モニタ装置１を天井内装面２に仮止めするようにしてもよい。また、本発明の締着手段は、係止部２３に代わる天井フレーム３側のネジ孔と、ネジ孔２４に代わる車載用モニタ装置１側のボス部とを備えた構成等であってもよい。
【００３０】
そして、本発明は、種々の車両の車載用モニタ装置取付構造に適用することができる。
【図面の簡単な説明】
【００３１】
【図１】本発明の一実施形態の天井内装面に吊り下げられた状態の車載用モニタ装置を車両前部側から見た斜視図である。
【図２】図１の車載用モニタ装置が天井フレームに締着された状態の天井内装面を除去した斜視図である。
【図３】（ａ）は図１のハンガーブラケットの斜視図、（ｂ）は天井内装面の上方の引っ掛け部の斜視図である。
【図４】図１の車載用モニタ装置が天井内装面に取付けられた状態の断面図である。
【図５】図１の車載用モニタ装置の回動状態の説明図である。
【図６】図４の一部の拡大した断面図である。
【図７】従来例の斜視図である。
【符号の説明】
【００３２】
１    車載用モニタ装置
２    天井内装面
３    天井フレーム
４    ハンガーブラケット
４ａ、４ｂ    フック部
５    引っ掛け部
６ａ    取付面
７    表示部
１２    開口
１８    装置側配線コネクタ
２０    車両側配線コネクタ
２１    クリップ
２２    嵌入口
【図１】
2010089595.tif 000003
【図２】
2010089595.tif 000004
【図３】
2010089595.tif 000005
【図４】
2010089595.tif 000006
【図５】
2010089595.tif 000007
【図６】
2010089595.tif 000008
【図７】
2010089595.tif 000009